(57)【特許請求の範囲】
【請求項１】
吊下された常に二重のスクリーンを上下方向に相対移動可能とする遮蔽装置であって、
前記二重のスクリーンのうち第１スクリーンを所定量で上下動可能に該第１スクリーンの上端を取着する第１の生地取着手段と、
前記二重のスクリーンのうち第２スクリーンの上端を取着する第２の生地取着手段と、
前記第１の生地取着手段及び前記第２の生地取着手段を支持する取付支持手段と、
前記第１スクリーン及び前記第２スクリーンのうちいずれか一方のスクリーン上の所定位置を固定部として前記取付支持手段から吊下支持する吊下支持手段と、
前記固定部より上部と下部に位置する当該二重のスクリーンの採光量を異なる状態となるよう調節可能に操作する切替操作手段と、
を備えることを特徴とする遮蔽装置。
【請求項２】
前記二重のスクリーンは、１枚のスクリーンを所定の錘部材を介して折り返し、前記第１スクリーン及び前記第２スクリーンとするよう構成され、
前記第１の生地取着手段は、前記二重のスクリーンを昇降可能とするよう前記第１スクリーンを巻取可能に構成され、
前記第１の生地取着手段による巻取りを操作可能とする操作手段を更に備えることを特徴とする、請求項１に記載の遮蔽装置。
【請求項３】
前記吊下支持手段は、前記固定部を吊下支持する複数の切替コードを備え、
前記切替操作手段は、前記取付支持手段を介して前記複数の切替コードの各他端を案内し、前記取付支持手段の一部から垂下させて連結する切替操作グリップを備えることを特徴とする、請求項１又は２に記載の遮蔽装置。
【請求項４】
前記吊下支持手段は、一端を前記固定部に取着し、他端を前記取付支持手段に取着する複数の位置決め用のテープ又はコードを備え、
前記第２の生地取着手段は、前記第２スクリーンを所定量で余巻可能に構成され、
前記切替操作手段は、前記第２の生地取着手段によって余巻されている当該第２スクリーンの巻戻しを可能とする操作機構と、該操作機構を作動させ当該採光量を異なる状態となるよう調節可能に操作する切替操作コードとを備えることを特徴とする、請求項１又は２に記載の遮蔽装置。
【請求項５】
前記吊下支持手段は、一端を前記固定部に取着し、他端を前記取付支持手段に取着する複数の位置決め用のテープ又はコードを備え、
前記第２の生地取着手段は、当該第２スクリーンを垂下方向に所定長で移動可能に吊下支持する可動機構を備え、
前記切替操作手段は、前記第２の生地取着手段における当該可動機構に一端を取着する複数の切替コードと、前記取付支持手段を介して前記複数の切替コードの各他端を案内し、前記取付支持手段の一部から垂下させて連結する切替操作グリップとを備えることを特徴とする、請求項１又は２に記載の遮蔽装置。
【請求項６】
前記吊下支持手段は、前記第１の生地取着手段による第１スクリーンの巻取り操作時に、該第１スクリーンと共に巻取り可能に構成されていることを特徴とする、請求項２から５のいずれか一項に記載の遮蔽装置。
【請求項７】
前記二重のスクリーンは、前記第１スクリーン及び前記第２スクリーンとして個別に垂下され、
前記第１の生地取着手段は、前記二重のスクリーンの採光量を調節可能な当該所定量で前記第１スクリーンを上下動可能に構成されていることを特徴とする、請求項１に記載の遮蔽装置。
【請求項８】
前記吊下支持手段は、当該二重のスクリーンの間を挿通して、前記固定部を吊下支持するよう構成されていることを特徴とする、請求項１から７のいずれか一項に記載の遮蔽装置。
【発明の詳細な説明】
【技術分野】
【０００１】
本発明は、吊下された二重のスクリーンを上下方向に相対移動可能とする遮蔽装置に関する。
【背景技術】
【０００２】
従来、二重に重ね合わせ吊下されたスクリーンを上下方向に相対移動させて室内への採光量を調節可能としたロールスクリーンがある。
【０００３】
このようなロールスクリーンにおけるスクリーンは、光を一部透過させる透過部と、光を遮る遮光部とが例えば縞状に交互に形成され、このスクリーンが二重に重ね合わされた状態で吊下支持されている。そして、操作手段の操作により、前後のスクリーンを上下方向に相対移動させて、透過部と遮光部との重なり具合を調整することにより、採光量を調節可能としている。
【０００４】
例えば、スクリーンの長さの調整を容易とするために、巻き取りロッドに一端が固定されスクリーンを垂下し、錘部材で折り返して他端を固定部材に固定する際に、固定部材の内部にて当該スクリーンの長さを調整可能に収容する構成が開示されている（例えば、特許文献１参照）。
【先行技術文献】
【特許文献】
【０００５】
【特許文献１】特許第５１１１０３５号明細書
【発明の概要】
【発明が解決しようとする課題】
【０００６】
前述した特許文献１に開示されるように、吊下された二重のスクリーンを上下方向に相対移動可能とするロールスクリーンでは、スクリーンの一端を巻取手段（例えば、巻き取りロッドや、巻取パイプ）に保持し、スクリーンの他端は固定手段（例えば、固定部材や支持軸）に固定される。そして、昇降操作により二重のスクリーンの全体を相対移動で昇降させて、スクリーン全体の透過状態と遮光状態の切り替えを行うことができる。
【０００７】
一方で、遮蔽装置において、例えばスクリーンの上部と下部とを分け、スクリーンの上部と下部でそれぞれ異なる採光量となるよう調節したいとする要望があるが、特許文献１に開示されるような既存のロールスクリーンでは、このような採光量の調整は実現できない。
【０００８】
より具体的には、スクリーンの上部を採光状態としスクリーンの下部を遮光状態とすることや、この逆としてスクリーンの上部を遮光状態としスクリーンの下部を採光状態とするような採光量の調整を実現可能なロールスクリーンは知られていない。
【０００９】
このため、スクリーンの上部と下部でそれぞれ異なる採光量となるよう調節可能とするには、特許文献１に開示されるような既存のロールスクリーンでは実現することができず、更なる工夫が必要になる。
【００１０】
本発明の目的は、上述の問題を鑑みて、吊下された二重のスクリーンを上下方向に相対移動可能とする遮蔽装置を提供することにある。
【課題を解決するための手段】
【００１１】
本発明の遮蔽装置は、吊下された常に二重のスクリーンを上下方向に相対移動可能とする遮蔽装置であって、前記二重のスクリーンのうち第１スクリーンを所定量で上下動可能に該第１スクリーンの上端を取着する第１の生地取着手段（後述する各実施形態の例では、巻取パイプ９又は支持パイプ６０）と、前記二重のスクリーンのうち第２スクリーンの上端を取着する第２の生地取着手段（後述する各実施形態の例では、支持軸７又は取付フレーム２の取付部６４に取着する生地押さえ６４ａ）と、前記第１の生地取着手段及び前記第２の生地取着手段を支持する取付支持手段（後述する各実施形態の例では、取付フレーム２）と、前記第１スクリーン及び前記第２スクリーンのうちいずれか一方のスクリーン上の所定位置を固定部として前記取付支持手段から吊下支持する吊下支持手段（後述する各実施形態の例では、切替コード３１ａ，３１ｂ，３１ｃ又は切替テープ５１ａ，５１ｂ，５１ｃ）と、前記固定部より上部と下部に位置する当該二重のスクリーンの採光量を異なる状態となるよう調節可能に操作する切替操作手段（後述する各実施形態の例では、切替操作グリップ３０又は切替操作コード５６）と、を備えることを特徴とする。
【００１２】
また、本発明の遮蔽装置において、前記二重のスクリーンは、１枚のスクリーンを所定の錘部材（後述する第１乃至第３実施形態の例では、ウェイトバー５）を介して折り返し、前記第１スクリーン及び前記第２スクリーンとするよう構成され、前記第１の生地取着手段（後述する第１乃至第３実施形態の例では、巻取パイプ９）は、前記二重のスクリーンを昇降可能とするよう前記第１スクリーンを巻取可能に構成され、前記第１の生地取着手段による巻取りを操作可能とする操作手段（後述する第１乃至第３実施形態の例では、操作コード３）を更に備えることを特徴とする。
【００１３】
また、本発明の遮蔽装置において、前記吊下支持手段は、前記固定部を吊下支持する複数の切替コード（後述する第１実施形態の例では、切替コード３１ａ，３１ｂ，３１ｃ）を備え、前記切替操作手段は、前記取付支持手段を介して前記複数の切替コードの各他端を案内し、前記取付支持手段の一部から垂下させて連結する切替操作グリップ（後述する第１実施形態の例では、切替操作グリップ３０）を備えることを特徴とする。
【００１４】
また、本発明の遮蔽装置において、前記吊下支持手段は、一端を前記固定部に取着し、他端を前記取付支持手段に取着する複数の位置決め用のテープ又はコード（後述する第２施形態の例では、位置決めテープ５１ａ，５１ｂ，５１ｃ）を備え、前記第２の生地取着手段（後述する第２実施形態の例では、支持軸７）は、前記第２スクリーンを所定量で余巻可能に構成され、前記切替操作手段は、前記第２の生地取着手段によって余巻されている当該第２スクリーンの巻戻しを可能とする操作機構（後述する第２実施形態の例では、切替プーリー５５）と、該操作機構を作動させ当該採光量を異なる状態となるよう調節可能に操作する切替操作コードとを備えることを特徴とする。
【００１５】
また、本発明の遮蔽装置において、前記吊下支持手段は、一端を前記固定部に取着し、他端を前記取付支持手段に取着する複数の位置決め用のテープ又はコード（後述する第３実施形態の例では、位置決めテープ５１ａ，５１ｂ，５１ｃ）を備え、前記第２の生地取着手段（後述する第３実施形態の例では、支持軸７）は、当該第２スクリーンを垂下方向に所定長で移動可能に吊下支持する可動機構を備え、前記切替操作手段は、前記第２の生地取着手段における当該可動機構に一端を取着する複数の切替コードと、前記取付支持手段を介して前記複数の切替コードの各他端を案内し、前記取付支持手段の一部から垂下させて連結する切替操作グリップ（後述する第３実施形態の例では、切替操作グリップ３０）とを備えることを特徴とする。
【００１６】
また、本発明の遮蔽装置において、前記吊下支持手段（後述する第１乃至第３実施形態の例では、切替コード３１ａ，３１ｂ，３１ｃ、又は位置決めテープ５１ａ，５１ｂ，５１ｃ）は、前記第１の生地取着手段（後述する第１乃至第３実施形態の例では、巻取パイプ９）による第１スクリーンの巻取り操作時に、該第１スクリーンと共に巻取り可能に構成されていることを特徴とする。
【００１７】
また、本発明の遮蔽装置において、前記二重のスクリーンは、前記第１スクリーン及び前記第２スクリーンとして個別に垂下され、前記第１の生地取着手段（後述する第４実施形態の例では、支持パイプ６０）は、前記二重のスクリーンの採光量を調節可能な当該所定量で前記第１スクリーンを上下動可能に構成されていることを特徴とする。
【００１８】
また、本発明の遮蔽装置において、前記吊下支持手段（後述する各実施形態の例では、切替コード３１ａ，３１ｂ，３１ｃ、又は位置決めテープ５１ａ，５１ｂ，５１ｃ）は、当該二重のスクリーンの間を挿通して、前記固定部を吊下支持するよう構成されていることを特徴とする。
【発明の効果】
【００１９】
本発明によれば、スクリーンの上部と下部でそれぞれ異なる採光量となるよう調節可能とする遮蔽装置とすることができる。例えばスクリーンの上部を採光状態としスクリーンの下部を遮光状態とすることや、この逆としてスクリーンの上部を遮光状態としスクリーンの下部を採光状態とするような採光量の調整を遮蔽装置で実現することができる。また、それぞれ異なる採光量とするスクリーンの上部と下部の位置を容易に調整することができる。
【図面の簡単な説明】
【００２０】
【図１】本発明による第１実施形態の遮蔽装置（ロールスクリーン）の概略構成を示す正面図である。
【図２】本発明による第１実施形態の遮蔽装置（ロールスクリーン）の概略構成を示す側面透視図である。
【図３】本発明による第１実施形態の遮蔽装置（ロールスクリーン）における操作プレート周辺の概略構成を示す分解斜視図である。
【図４】（ａ）,（ｂ）,（ｃ）は、本発明による第１実施形態の遮蔽装置（ロールスクリーン）における操作プレートの動作説明図である。
【図５】（ａ）,（ｂ）,（ｃ）は、本発明による第１実施形態の遮蔽装置（ロールスクリーン）における調光切替機構の動作説明図である。
【図６】本発明による第２実施形態の遮蔽装置（ロールスクリーン）の概略構成を示す正面図である。
【図７】（ａ）,（ｂ）,（ｃ）は、本発明による第２実施形態の遮蔽装置（ロールスクリーン）における調光切替機構の動作説明図である。
【図８】本発明による第３実施形態のロールスクリーンの概略構成を示す正面図である。
【図９】本発明による第３実施形態の遮蔽装置（ロールスクリーン）における操作プレート周辺の概略構成を示す分解斜視図である。
【図１０】（ａ）,（ｂ）,（ｃ）は、本発明による第３実施形態の遮蔽装置（ロールスクリーン）における調光切替機構の動作説明図である。
【図１１】（ａ）,（ｂ）は、それぞれ本発明による第４実施形態の遮蔽装置（調光式スクリーン）の概略を示す正面図及び側面図である。
【図１２】（ａ）,（ｂ）は、それぞれ本発明による第４実施形態の遮蔽装置（調光式スクリーン）の動作を説明する正面図及び側面図である。
【発明を実施するための形態】
【００２１】
以下、図面を参照して、本発明による各実施形態の遮蔽装置（ロールスクリーン１又は調光式スクリーン１００）を説明する。尚、本願明細書中、図１等に示す遮蔽装置の正面図に対して、図示上方及び図示下方をスクリーン４の吊り下げ方向に準じてそれぞれ上方向（又は上側）及び下方向（又は下側）と定義し、図示左方向を遮蔽装置の左側、及び、図示右方向を遮蔽装置の右側と定義して説明する。また、以下に説明する例では、図１に示す遮蔽装置の正面図に対して、視認する側を前側（又は室内側）、その反対側を後側（又は室外側）とし、遮蔽装置の前後方向と称するときは、図１の正面図における図示面に対して垂直な方向を云う。
【００２２】
〔第１実施形態〕
（遮蔽装置の構成）
まず、図１乃至図５を参照して、本発明による第１実施形態の遮蔽装置（ロールスクリーン１）の構成を説明する。図１は、本発明による第１実施形態の遮蔽装置（ロールスクリーン１）の概略構成を示す正面図であり、図２は、本発明による第１実施形態の遮蔽装置（ロールスクリーン１）の概略構成を示す側面透視図である。図３は、本発明による第１実施形態の遮蔽装置（ロールスクリーン１）における操作プレート６周辺の概略構成を示す分解斜視図である。また、図４（ａ）,（ｂ）,（ｃ）は、本発明による第１実施形態の遮蔽装置（ロールスクリーン１）における操作プレート６の動作説明図である。そして、図５（ａ）,（ｂ）,（ｃ）は、本発明による第１実施形態の遮蔽装置（ロールスクリーン１）における調光切替機構の動作説明図である。
【００２３】
図１及び図２に示す遮蔽装置（ロールスクリーン１）は、取付フレーム２の両端に支持部材２ａ，２ｂが固定され、その支持部材２ａ，２ｂから延びる固定軸１１によって、支持部材２ａ，２ｂ間に円筒状の巻取パイプ９が回転可能に支持される。
【００２４】
巻取パイプ９の右端部には操作プーリー１０が設けられ、この操作プーリー１０に掛装される無端状の操作コード３が垂下されている。そして、操作コード３の操作により巻取パイプ９を回転操作可能となるよう構成されており、操作コード３が掛装される操作プーリー１０の表面は高摩擦性の表面形状を有する。尚、この操作コード３をボールチェーンで構成し、このボールチェーンが掛装される操作プーリー１０の表面を、そのボールチェーンのボール部に適合する形状の凹凸を有するように構成することもできる。
【００２５】
支持部材２ａと操作プーリー１０との間には、操作プレート６が巻取パイプ９に対して相対回動可能に設けられている。操作プレート６の下方には、支持部材２ａ，２ｂ間に延びる円筒状の支持軸７の一端が取着されている。尚、操作プレート６の具体的な構成及び動作については詳細に後述する。
【００２６】
また、支持部材２ｂと巻取パイプ９の左端部との間には、支持プレート８が巻取パイプ９に対して相対回動可能に設けられ、支持プレート８の下方にて支持軸７の他端が取着されている。本実施形態の支持プレート８の形状は、後述するコード案内部１２，１３が設けられていない点を除き、操作プレート６の形状とほぼ同様となっている。ただし、支持プレート８の外形形状は、巻取パイプ９に対して相対回動可能とし、支持軸７の他端を取着する形態であれば、操作プレート６の外形形状とは異なる形状としてもよい。
【００２７】
巻取パイプ９は、スクリーン４の一辺を取着して巻き取り可能に吊下支持しており、巻取パイプ９から垂下し、錘部材として機能するウェイトバー５を介して折り返されたスクリーン４の他辺は支持軸７に取着されている。そして、巻取パイプ９と支持軸７との間で垂下されるスクリーン４の下端部には、ウェイトバー５の両端部で回転可能に支持されるローラー１５が挿通されている。従って、スクリーン４はウェイトバー５の重量に基づいて張設される。
【００２８】
そして、操作コード３を操作して巻取パイプ９をスクリーン巻取り方向へ回転させるとウェイトバー５が上昇し、巻取パイプ９をスクリーン巻戻し方向へ回転させるとウェイトバー５が下降する。
【００２９】
また、巻取パイプ９内において、その左端側にはスクリーン４の巻上時の操作力を軽減するスプリングモーター、右端側にはスクリーン４の自重降下を防止するストッパー装置等が収容されている（図示せず）。
【００３０】
スクリーン４は、光を一部透過させる透過部４ｂと、光を遮る遮光部４ａとが例えば縞状に交互に形成され、このスクリーン４が二重に重ね合わされた状態で吊下支持されているため、操作コード３の操作により、前後のスクリーン４を上下方向に相対移動させて、透過部４ｂと遮光部４ａとの重なり具合を調整することにより、採光量が調節可能となっている。
【００３１】
次に、図１及び図２とともに、図３を参照して、操作プレート６及びその周辺の具体的な構成について説明する。操作プーリー１０は、支持部材２ａから延びる固定軸１１に対し回転軸とするための透孔が設けられ、この固定軸１１によって、操作プーリー１０の回転に伴い巻取パイプ９が回転可能に支持される。操作プーリー１０の左端側には巻取パイプ９の右端内周面に嵌合する嵌合部２５が設けられる。また、操作プーリー１０の左端部は巻取パイプ９内に収容されるストッパー装置に連結され、操作プーリー１０の入力回転は許容し、巻取パイプ９からの回転は阻止するようになっている（図示せず）。
【００３２】
操作プーリー１０の右端部には略円柱状の回動支持部２４が設けられ、該回動支持部２４よりもわずかに大きい径の丸孔状の回動受部２３が、操作プレート６に設けられている。従って、操作プレート６は、操作プーリー１０及び巻取パイプ９に対して、相対回動可能に支持される。尚、操作プレート６を一定角度以上の相対回動を阻止することが可能な構成としてもよい。
【００３３】
操作プレート６の下方には、支持軸７を支持可能な孔部２２が設けられている。支持軸７はリベット等の保持部材２１により支持軸７の一端を取着可能であり、支持部材２ａ，２ｂ間に延びるよう保持される。支持軸７は、操作プレート６に対して回転可能に取着してもよいし、回転不能に取着してもよい。回転可能且つ回転位置で保持できるラチェット機構等を設ければスクリーン４の下限状態におけるウェイトバー５の高さを微調整することができる。
【００３４】
また、操作プーリー１０に掛装する操作コード３が操作プーリー１０から外れず滑りを生じないよう、コードカバー２０が、固定軸１１（又は支持部材２ａ）に対して回転不能に固定されている（図１参照）。
【００３５】
操作プレート６の左端面上には、図示する例では円柱状に延びる２本のコード案内部１２，１３が設けられる。コード案内部１２は、操作プーリー１０から垂下される無端状の操作コード３の一方（前側）をコード案内部１２の上方から垂下されるよう案内し、コード案内部１３は、操作プーリー１０から垂下される無端状の操作コード３の他方（後側）をコード案内部１３の上方、且つコード案内部１２の下方から垂下されるよう案内する（図２参照）。
【００３６】
このように構成された操作プレート６は、操作コード３の操作時には、相対移動可能な二重のスクリーン４の間隔が離れるよう振り子動作するように構成されている。そして、二重のスクリーン４の操作時の間隔が、静止時の間隔より大きくなるよう構成されている。
【００３７】
図４を参照して、操作プレート６の動作について説明する。まず、図４（ａ）を参照するに、操作プレート６は、操作プーリー１０及び巻取パイプ９に対して相対回動可能に支持され、ウェイトバー５の静止時では、操作プレート６にはスクリーン４等の自重で安定化するようになっている。次に、図４（ｂ）を参照するに、ウェイトバー５を静止状態から上昇させるよう操作コード３を操作すると、巻取パイプ９にスクリーン４が巻き取られる。このとき、操作プレート６が振り子動作し、二重のスクリーン４の操作時の間隔ｄ２が、静止時の間隔ｄ１より大きくなるよう構成されている。同様に、図４（ｃ）を参照するに、ウェイトバー５を静止状態から下降させるよう操作コード３を操作すると、巻取パイプ９に巻き取られていたスクリーン４が下降するとき、操作プレート６が振り子動作し、二重のスクリーン４の操作時の間隔ｄ３が、静止時の間隔ｄ１より大きくなるよう構成されている。従って、上昇又は下降操作時に二重のスクリーン４が高摩擦を避けて相対移動するため、スクリーン４を痛めるおそれが無いようになっている。
【００３８】
更に、第１実施形態の遮蔽装置（ロールスクリーン１）では、スクリーン４の上部と下部でそれぞれ異なる採光量となるよう調節可能とする調光切替機構が設けられている。以下、図１乃至図５を参照して、第１実施形態のロールスクリーン１における調光切替機構について説明する。
【００３９】
（調光切替機構）
第１実施形態の遮蔽装置（ロールスクリーン１）における調光切替機構は、図１及び図２に示すように、主に、３本の切替コード３１ａ，３１ｂ，３１ｃと、切替操作グリップ３０から構成される。
【００４０】
３本の切替コード３１ａ，３１ｂ，３１ｃは、紐状の形態を有し、それぞれ取付フレーム２の左端側、中央及び右端側のそれぞれの垂下窓部２ｅから、二重のスクリーン４間で垂下させてスクリーン４の略中間高さにある固定部３３に一端を取着している。この固定部３３の中間高さ位置で、スクリーン４は、上部４Ｂと下部４Ａとに区分される。
【００４１】
３本の切替コード３１ａ，３１ｂ，３１ｃの各他端は、取付フレーム２内で各プーリー２ｆにより取付フレーム２の右端側へと案内され、取付フレーム２の右端側の窓部２ｃから導出片２ｄを経て取付フレーム２の外部（室内側）へと導出され、下方に垂下される。
【００４２】
そして、導出片２ｄを経て垂下される３本の切替コード３１ａ，３１ｂ，３１ｃの各他端は、切替操作グリップ３０に連結して取着される。
【００４３】
尚、本例では、３本の切替コード３１ａ，３１ｂ，３１ｃとして説明するが、複数本の切替コードであれば、２本でもよいし、４本以上でもよい。
【００４４】
この切替操作グリップ３０を引っ張ることで、３本の切替コード３１ａ，３１ｂ，３１ｃを移動させ、スクリーン４の上部４Ｂと下部４Ａとでそれぞれ異なる採光量となるよう調節可能となっている。尚、切替操作グリップ３０を手放した時に、スクリーン４等の自重でその調節した状態が変化しないよう、取付フレーム２内には、３本の切替コード３１ａ，３１ｂ，３１ｃに対してその移動をロック可能なストッパー装置３２が設けられている（図３参照）。
【００４５】
以下、図５を参照して、第１実施形態の遮蔽装置（ロールスクリーン１）における調光切替機構の動作を詳細に説明する。まず、図５（ａ）は、スクリーン４全体を遮光状態とした様子を示しており、即ち、スクリーン４の上部４Ｂと下部４Ａは、いずれも遮光状態となるよう二重のスクリーン４のそれぞれの透過部４ｂ及び遮光部４ａが互い違いの状態にある。例えばウェイトバー５が下限位置にあるときに、図５（ａ）に示すような「全遮光状態」となるよう、巻取パイプ９又は支持軸７でスクリーン４の各端部を取着する位置を調整して設定することができる。図５（ａ）に示す状態では、３本の切替コード３１ａ，３１ｂ，３１ｃは、取付フレーム２の垂下窓部２ｅから垂下し室外側のスクリーン４の固定部３３に各一端を取着しているが、３本の切替コード３１ａ，３１ｂ，３１ｃの各他端を取着している切替操作グリップ３０は、引張りによる切替操作が行われていない状態にある。
【００４６】
図５（ａ）に示す全遮光状態から、隣接する透過部４ｂ及び遮光部４ａを１ピッチとして、操作コード３を操作して巻取パイプ９により、透過部４ｂの高さ、即ち約半ピッチだけ巻取ることで、前後のスクリーン４のそれぞれの透過部４ｂ及び遮光部４ａの位置を略同一状態にすることができ、このとき前後のスクリーン４の透過部４ｂの位置が一致して、二重のスクリーン４の全体で採光状態とすることができる。
【００４７】
二重のスクリーン４の全体で採光状態とした状態から、切替操作グリップ３０を所定量（例えば、透過部４ｂの高さ、即ち約半ピッチ分）だけ引っ張ると、３本の切替コード３１ａ，３１ｂ，３１ｃが移動して固定部３３の位置が引き上げられる。即ち、スクリーン４の上部４Ｂの吊下状態は変更されないが、背面側のスクリーン４の下部４Ａの吊下位置が上昇する。そして、スクリーン４の下部４Ａについて、二重のスクリーン４のそれぞれの透過部４ｂ及び遮光部４ａが互い違いの状態になるときに切替操作グリップ３０を手放すと、ストッパー装置３２によるロック動作が働いて、その状態が維持される。図５（ｂ）は、このときの状態を示しており、室外側のスクリーン４は固定部３３の近傍で生地弛みが生じ（図示Ａ）、スクリーン４の上部４Ｂと下部４Ａでそれぞれ異なる採光量となり、即ち、スクリーン４の上部４Ｂを採光状態とし、スクリーン４の下部４Ａを遮光状態とすることができる。
【００４８】
また、図５（ａ）に示す全遮光状態から、切替操作グリップ３０を所定量（例えば半ピッチ分）だけ引っ張ると、３本の切替コード３１ａ，３１ｂ，３１ｃが移動して固定部３３の位置が引き上げられる。即ち、スクリーン４の上部４Ｂの吊下状態は変更されないが、スクリーン４の下部４Ａの吊下位置が上昇する。そして、スクリーン４の下部４Ａについて、前後のスクリーン４のそれぞれの透過部４ｂ及び遮光部４ａがそれぞれ一致する状態になるときに切替操作グリップ３０を手放すと、ストッパー装置３２によるロック動作が働いて、その状態が維持される。図５（ｃ）は、このときの状態を示しており、室外側のスクリーン４は固定部３３の近傍で生地弛みが生じ（図示Ｂ）、スクリーン４の上部４Ｂと下部４Ａでそれぞれ異なる採光量となり、即ち、スクリーン４の上部４Ｂを遮光状態とし、スクリーン４の下部４Ａを採光状態とすることができる。
【００４９】
尚、透過部４ｂと遮光部４ａの各高さ方向幅は、互いに異なるものとすることができる。そして、上記のように、スクリーン４の上部４Ｂを採光状態とし、スクリーン４の下部４Ａを遮光状態とする場合や、その逆とする場合以外にも、操作コード３を用いた操作による巻取パイプ９の巻取量や、切替操作グリップ３０を用いた操作による切替コード３１ａ，３１ｂ，３１ｃの移動量の組み合わせで、スクリーン４の上部４Ｂと下部４Ａで多岐に亘る採光・遮光状態でそれぞれ異なる採光量となるよう調節することができる。
【００５０】
また、３本の切替コード３１ａ，３１ｂ，３１ｃは、取付フレーム２の垂下窓部２ｅから垂下し室外側のスクリーン４の固定部３３に各一端を取着しているが、これは、ウェイトバー５を上限まで移動させるために巻取パイプ９によりスクリーン４を巻き取る際にも悪影響を与えない。即ち、巻取パイプ９は、スクリーン４の巻取りと一緒に３本の切替コード３１ａ，３１ｂ，３１ｃも巻き取ることができ、そして、巻取パイプ９によりスクリーン４を巻き戻した場合も、３本の切替コード３１ａ，３１ｂ，３１ｃは、室外側のスクリーン４の固定部３３の吊下状態に復帰する。
【００５１】
以上のように、第１実施形態のロールスクリーン１によれば、スクリーン４の上部４Ｂと下部４Ａでそれぞれ異なる採光量となるよう調節可能となる。また、それぞれ異なる採光量とするスクリーンの上部と下部の位置を容易に調整することができる。
【００５２】
〔第２実施形態〕
（遮蔽装置の構成）
次に、図６及び図７を参照して、本発明による第２実施形態の遮蔽装置（ロールスクリーン１）の構成を説明する。図６は、本発明による第２実施形態の遮蔽装置（ロールスクリーン１）の概略構成を示す正面図であり、図７（ａ）,（ｂ）,（ｃ）は、本発明による第２実施形態の遮蔽装置（ロールスクリーン１）における調光切替機構の動作説明図である。尚、第１実施形態と同様な構成要素には同一の参照番号を付している。
【００５３】
図７に示す第２実施形態の遮蔽装置（ロールスクリーン１）は、調光切替機構の構成及び動作が異なる点を除き、第１実施形態とほぼ同様に構成することができる。このため、スクリーン４の上部４Ｂと下部４Ａでそれぞれ異なる採光量となるよう調節可能とする、第２実施形態の遮蔽装置（ロールスクリーン１）における調光切替機構の構成及び動作を主に説明する。
【００５４】
（調光切替機構）
第２実施形態の遮蔽装置（ロールスクリーン１）における調光切替機構は、図６及び図７に示すように、主に、３本の位置決めテープ５１ａ，５１ｂ，５１ｃと、無端状の切替操作コード５６を掛装し、支持軸７を回転操作可能とする切替プーリー５５から構成される。
【００５５】
３本の位置決めテープ５１ａ，５１ｂ，５１ｃは、それぞれ薄く幅広のテープ状の形態で構成され、取付フレーム２の室外側側面における左端側、中央及び右端側のそれぞれの取付部５４に一端を取着し、二重のスクリーン４間で垂下させてスクリーン４の略中間高さにある固定部５３に他端を取着している。この固定部５３の中間高さ位置で、スクリーン４は、上部４Ｂと下部４Ａとに区分される。
【００５６】
尚、本例では、３本の位置決めテープ５１ａ，５１ｂ，５１ｃとして説明するが、複数本の位置決めテープであれば、２本でもよいし、４本以上でもよい。
【００５７】
支持軸７は、略筒状の形態で構成され、操作プレート６及び支持プレート８に対して回転可能に支持されている。また、操作プレート６の右端面側には、支持軸７と連結し、支持軸７を回転操作可能とする切替プーリー５５が設けられている。切替プーリー５５は、無端状の切替操作コード５６を掛装しており、切替操作コード５６の操作により支持軸７を回転操作可能となっている。切替操作コード５６が掛装される切替プーリー５５の表面は高摩擦性の表面形状を有する。尚、この切替操作コード５６をボールチェーンで構成し、このボールチェーンが掛装される切替プーリー５５の表面を、そのボールチェーンのボール部に適合する形状の凹凸を有するように構成することもできる。
【００５８】
支持軸７は、室外側のスクリーン４における隣接する透過部４ｂ及び遮光部４ａを１ピッチとして、略半ピッチ分から１ピッチ分を余巻可能に構成されている。好適には、ウェイトバー５が下限位置にある時に、支持軸７は、略半ピッチ分から１ピッチ分を余巻した状態で室外側のスクリーン４の端部を吊下支持するよう構成する。
【００５９】
そして、切替操作コード５６を引いて、支持軸７を巻戻し方向に回転させることで、例えば余巻から半ピッチ分を巻戻すことで、室外側のスクリーン４の上部４Ｂを固定部５３の近傍で生地弛みを生じさせることができる。
【００６０】
したがって、この切替操作コード５６を引くことで支持軸７を巻戻し方向に回転させ、スクリーン４の上部４Ｂと下部４Ａとでそれぞれ異なる採光量となるよう調節可能となっている。尚、切替操作コード５６を手放した時に、スクリーン４等の自重でその調節した状態が変化しないよう、支持軸７内には、当該支持軸７の回転をロック可能なストッパー装置（図示せず）が設けられている。
【００６１】
以下、図７を参照して、第２実施形態の遮蔽装置（ロールスクリーン１）における調光切替機構の動作を詳細に説明する。まず、図７（ａ）は、スクリーン４全体を遮光状態とした様子を示しており、即ち、スクリーン４の上部４Ｂと下部４Ａは、いずれも遮光状態となるよう二重のスクリーン４のそれぞれの透過部４ｂ及び遮光部４ａが互い違いの状態にある。例えばウェイトバー５が下限位置にあるときに、図７（ａ）に示すような「全遮光状態」となるよう、巻取パイプ９又は支持軸７でスクリーン４の各端部を取着する位置を調整して設定することができる。図７（ａ）に示す状態では、３本の位置決めテープ５１ａ，５１ｂ，５１ｃは、取付フレーム２の室外側側面における取付部５４から垂下し室外側のスクリーン４の固定部５３に各一端を取着している。また、ウェイトバー５が下限位置にある時に、支持軸７は、略半ピッチ分から１ピッチ分を余巻した状態で室外側のスクリーン４の端部を吊下支持しており（図示Ｃ）、切替操作コード５６は、その引き操作による切替操作が行われていない状態にある。
【００６２】
図７（ａ）に示す全遮光状態から、切替操作コード５６を所定量（例えば半ピッチ分）だけ引いて、支持軸７を巻戻し方向に回転させると、支持軸７は余巻からその所定量分を巻戻し、室外側のスクリーン４の上部４Ｂは下方に引き下げられる。即ち、スクリーン４の下部４Ａの吊下状態は３本の位置決めテープ５１ａ，５１ｂ，５１ｃの吊下支持により変更されないが、スクリーン４の上部４Ｂの吊下位置が下降する。そして、スクリーン４の上部４Ｂについて、前後のスクリーン４のそれぞれの透過部４ｂ及び遮光部４ａがそれぞれ一致する状態になるときに切替操作コード５６を手放すと、図示しないストッパー装置によるロック動作が働いて、その状態が維持される。図７（ｂ）は、このときの状態を示しており、室外側のスクリーン４は固定部５３の近傍で生地弛みが生じ（図示Ｄ）、スクリーン４の上部４Ｂと下部４Ａでそれぞれ異なる採光量となり、即ち、スクリーン４の上部４Ｂを採光状態とし、スクリーン４の下部４Ａを遮光状態とすることができる。
【００６３】
また、図７（ａ）に示す全遮光状態から、隣接する透過部４ｂ及び遮光部４ａを１ピッチとして、操作コード３を操作して巻取パイプ９により半ピッチだけ巻取ることで、前後のスクリーン４のそれぞれの透過部４ｂ及び遮光部４ａの位置を略同一状態にすることができ、このとき前後のスクリーン４の透過部４ｂの位置が一致して、二重のスクリーン４の全体で採光状態とすることができる。
【００６４】
二重のスクリーン４の全体で採光状態とした状態から、切替操作コード５６を所定量（例えば半ピッチ分）だけ引いて、支持軸７を巻戻し方向に回転させると、支持軸７は余巻から半ピッチ分を巻戻し、室外側のスクリーン４の上部４Ｂは下方に引き下げられる。即ち、スクリーン４の下部４Ａの吊下状態は３本の位置決めテープ５１ａ，５１ｂ，５１ｃの吊下支持により変更されないが、スクリーン４の上部４Ｂの吊下位置が下降する。そして、スクリーン４の上部４Ｂについて、二重のスクリーン４のそれぞれの透過部４ｂ及び遮光部４ａが互い違いの状態になるときに切替操作コード５６を手放すと、図示しないストッパー装置によるロック動作が働いて、その状態が維持される。図７（ｃ）は、このときの状態を示しており、室外側のスクリーン４は固定部５３の近傍で生地弛みが生じ（図示Ｅ）、スクリーン４の上部４Ｂと下部４Ａでそれぞれ異なる採光量となり、即ち、スクリーン４の上部４Ｂを遮光状態とし、スクリーン４の下部４Ａを採光状態とすることができる。
【００６５】
尚、透過部４ｂと遮光部４ａの各高さ方向幅は、互いに異なるものとすることができる。そして、上記のように、スクリーン４の上部４Ｂを採光状態とし、スクリーン４の下部４Ａを遮光状態とする場合や、その逆とする場合以外にも、操作コード３を用いた操作による巻取パイプ９の巻取量や、切替操作コード５６を用いた操作による支持軸７の余巻の巻戻し量の組み合わせで、スクリーン４の上部４Ｂと下部４Ａで多岐に亘る採光・遮光状態でそれぞれ異なる採光量となるよう調節することができる。
【００６６】
また、３本の位置決めテープ５１ａ，５１ｂ，５１ｃは、取付フレーム２の室外側側面における取付部５４から垂下し室外側のスクリーン４の固定部５３に各一端を取着しているが、これは、ウェイトバー５を上限まで移動させるために巻取パイプ９によりスクリーン４を巻き取る際にも悪影響を与えない。即ち、巻取パイプ９は、スクリーン４の巻取りと一緒に３本の位置決めテープ５１ａ，５１ｂ，５１ｃも巻き取ることができ、そして、巻取パイプ９によりスクリーン４を巻き戻した場合も、３本の位置決めテープ５１ａ，５１ｂ，５１ｃは、室外側のスクリーン４の固定部５３の吊下状態に復帰する。
【００６７】
以上のように、第２実施形態の遮蔽装置（ロールスクリーン１）によれば、スクリーン４の上部４Ｂと下部４Ａでそれぞれ異なる採光量となるよう調節可能となる。また、それぞれ異なる採光量とするスクリーンの上部と下部の位置を容易に調整することができる。
【００６８】
また、第１実施形態の遮蔽装置（ロールスクリーン１）のときは、スクリーン４の下部４Ａの上昇によってスクリーン４の上部４Ｂと下部４Ａでそれぞれ異なる採光量となるよう調節していた。このため、ウェイトバー５の位置もこれに併せて上昇する点で、スクリーン４の下部４Ａを遮光状態とするときの遮光性が問題となる場合には、第２実施形態の遮蔽装置（ロールスクリーン１）のように構成するのが好適である。第２実施形態の遮蔽装置（ロールスクリーン１）によれば、スクリーン４の上部４Ｂの下降によってスクリーン４の上部４Ｂと下部４Ａでそれぞれ異なる採光量となるよう調節するため、ウェイトバー５の位置を不変とすることができ、スクリーン４の下部４Ａを遮光状態とするときの遮光性を向上させることができる。
【００６９】
〔第３実施形態〕
（遮蔽装置の構成）
次に、図８乃至図１０を参照して、本発明による第３実施形態の遮蔽装置（ロールスクリーン１）の構成を説明する。図８は、本発明による第３実施形態の遮蔽装置（ロールスクリーン１）の概略構成を示す正面図であり、図９は、本発明による第３実施形態の遮蔽装置（ロールスクリーン１）における操作プレート６周辺の概略構成を示す分解斜視図である。また、図１０（ａ）,（ｂ）,（ｃ）は、本発明による第３実施形態の遮蔽装置（ロールスクリーン１）における調光切替機構の動作説明図である。尚、第１及び第２実施形態と同様な構成要素には同一の参照番号を付している。
【００７０】
図８に示す第３実施形態の遮蔽装置（ロールスクリーン１）は、調光切替機構の構成及び動作が異なる点を除き、第１及び第２実施形態とほぼ同様に構成することができる。このため、スクリーン４の上部４Ｂと下部４Ａでそれぞれ異なる採光量となるよう調節可能とする、第３実施形態の遮蔽装置（ロールスクリーン１）における調光切替機構の構成及び動作を主に説明する。
【００７１】
（調光切替機構）
第３実施形態の遮蔽装置（ロールスクリーン１）における調光切替機構は、図８乃至図１０に示すように、主に、３本の切替コード３１ａ，３１ｂ，３１ｃと、切替操作グリップ３０と、３本の位置決めテープ５１ａ，５１ｂ，５１ｃと、支持軸７を上下方向に移動可能に案内する案内枠体３４から構成される。
【００７２】
３本の位置決めテープ５１ａ，５１ｂ，５１ｃは、それぞれ薄く幅広のテープ状の形態で構成され、取付フレーム２の室外側側面における左端側、中央及び右端側のそれぞれの取付部５４に一端を取着し、二重のスクリーン４間で垂下させてスクリーン４の略中間高さにある固定部５３に他端を取着している。この固定部５３の中間高さ位置で、スクリーン４は、上部４Ｂと下部４Ａとに区分される。
【００７３】
３本の切替コード３１ａ，３１ｂ，３１ｃは、それぞれ取付フレーム２の左端側、中央及び右端側のそれぞれの垂下窓部２ｅから二重のスクリーン４間で垂下させて、後述する案内枠体３４内に収容される支持軸７上に一端を取着している。
【００７４】
３本の切替コード３１ａ，３１ｂ，３１ｃの各他端は、取付フレーム２内で各プーリー２ｆにより取付フレーム２の右端側へと案内され、取付フレーム２の右端側の窓部２ｃから導出片２ｄを経て取付フレーム２の外部（室内側）へと導出され、下方に垂下される。
【００７５】
そして、導出片２ｄを経て垂下される３本の切替コード３１ａ，３１ｂ，３１ｃの各他端は、切替操作グリップ３０に連結して取着される。
【００７６】
尚、本例では、３本の切替コード３１ａ，３１ｂ，３１ｃ及び３本の位置決めテープ５１ａ，５１ｂ，５１ｃとして説明するが、それぞれ複数本の切替コード及び位置決めテープであれば、２本でもよいし、４本以上でもよい。
【００７７】
支持軸７は、スクリーン４の一端を取着可能とする略直方体状の形態で構成され、支持軸７を上下方向に移動可能に案内する案内枠体３４内に収容されている。操作プレート６及び支持プレート８に対して回転不能に支持されている。案内枠体３４は、上部に開口部を有する略コの字状の断面形状を有する。尚、支持軸７及び案内枠体３４の各形状は、案内枠体３４によって支持軸７を上下方向に移動可能に案内する形態であれば他の形態とすることができ、例えば、案内枠体３４は、支持軸７を上下方向に移動可能に案内するよう収容した後、支持軸７が案内枠体３４から飛び出すことが無いよう当該移動を規制する形態とするか、又は当該移動を規制する部材を設けてもよい。
【００７８】
本実施形態では、切替操作グリップ３０を引っ張ることで、３本の切替コード３１ａ，３１ｂ，３１ｃを移動させ、これにより支持軸７を案内枠体３４内で上下方向に移動させることで、スクリーン４の上部４Ｂと下部４Ａとでそれぞれ異なる採光量となるよう調節可能となっている。尚、切替操作グリップ３０を手放した時に、スクリーン４等の自重でその調節した状態が変化しないよう、取付フレーム２内には、３本の切替コード３１ａ，３１ｂ，３１ｃに対してその移動をロック可能なストッパー装置３２が設けられている（図９参照）。
【００７９】
図９に示すように、操作プレート６周辺の構成として、巻取パイプ９が、スクリーン４（即ち前側スクリーン４Ｆ）の一辺を取着して巻き取り可能に吊下支持しており、巻取パイプ９から垂下し、錘部材として機能するウェイトバー５を介して折り返されたスクリーン４（即ち後側スクリーン４Ｒ）の他辺は、案内枠体３４の外壁を経て、案内枠体３４内に収容される支持軸７上の取着部７ａに取着されている。
【００８０】
支持軸７は、ウェイトバー５とは別の第２の錘部材として構成され、案内枠体３４内に収容された状態で、調光切替操作が行われていないときには（即ち、切替コード３１ａ，３１ｂ，３１ｃの引き操作が無いときには）、その案内枠体３４内の底面に位置する。このため、スクリーン４（即ち後側スクリーン４Ｒ）の他辺を取着する支持軸７は、余長Ｌを有した状態で、案内枠体３４の外壁を経て、スクリーン４（即ち後側スクリーン４Ｒ）を吊下支持している。この余長Ｌは、室外側のスクリーン４における隣接する透過部４ｂ及び遮光部４ａを１ピッチとして、略半ピッチ分から１ピッチ分に相当するよう構成されている。好適には、ウェイトバー５が下限位置にある時に、支持軸７は、略半ピッチ分から１ピッチ分を余長Ｌとした状態で室外側のスクリーン４の端部を吊下支持するよう構成する。
【００８１】
尚、巻取パイプ９と支持軸７との間で垂下されるスクリーン４の下端部には、ウェイトバー５の両端部で回転可能に支持されるローラー１５が挿通されている。従って、スクリーン４はウェイトバー５の重量に基づいて張設される。
【００８２】
このように二重のスクリーン４を吊下支持するために、支持軸７の重量をウェイトバー５と同等とするか、又はそれ以上の重さとするのが好適である。
【００８３】
図９に示す例では、操作プレート６の下方にて、案内枠体３４を支持可能な孔部２２が２つ設けられ、案内枠体３４に設けられた２つの保持受部３４ａに対して、リベット等の２つ保持部材２１によりそれぞれ案内枠体３４を支持部材２ａ，２ｂ間にて回転不能に支持している。案内枠体３４を支持部材２ａ，２ｂ間にて回転不能に支持することができる者であれば、その他の手段を用いてもよい。
【００８４】
そして、切替操作グリップ３０を操作することで、３本の切替コード３１ａ，３１ｂ，３１ｃの移動で支持軸７を案内枠体３４内で上方に移動させることができ、或いは支持軸７を案内枠体３４内で下方に移動させることができる（図示Ｆ）。
【００８５】
以下、図１０を参照して、第３実施形態の遮蔽装置（ロールスクリーン１）における調光切替機構の動作を詳細に説明する。まず、図１０（ａ）は、スクリーン４全体を遮光状態とした様子を示しており、即ち、スクリーン４の上部４Ｂと下部４Ａは、いずれも遮光状態となるよう二重のスクリーン４のそれぞれの透過部４ｂ及び遮光部４ａが互い違いの状態にある。例えばウェイトバー５が下限位置にあるときに、図１０（ａ）に示すような「全遮光状態」となるよう、巻取パイプ９又は支持軸７でスクリーン４の各端部を取着する位置を調整して設定することができる。図１０（ａ）に示す状態では、３本の位置決めテープ５１ａ，５１ｂ，５１ｃは、取付フレーム２の室外側側面における取付部５４から垂下し室外側のスクリーン４の固定部５３に各一端を取着している。また、ウェイトバー５が下限位置にある時に、支持軸７は、略半ピッチ分から１ピッチ分を余長Ｌとした状態で上下方向に移動可能に室外側のスクリーン４の端部を吊下支持している（図示Ｆ）。図１０（ａ）に示す状態では、３本の切替コード３１ａ，３１ｂ，３１ｃは、取付フレーム２の垂下窓部２ｅから垂下し支持軸７に各一端を取着しているが、３本の切替コード３１ａ，３１ｂ，３１ｃの各他端を取着している切替操作グリップ３０は、引張りによる切替操作が行われていない状態にある。
【００８６】
また、図１０（ａ）に示す全遮光状態から、切替操作グリップ３０を所定量（例えば半ピッチ分）だけ引っ張ると、３本の切替コード３１ａ，３１ｂ，３１ｃが移動して（図示Ｇ）、支持軸７は余長Ｌからその所定量分を垂下し、室外側のスクリーン４の上部４Ｂは下方に引き下げられる。即ち、スクリーン４の下部４Ａの吊下状態は３本の位置決めテープ５１ａ，５１ｂ，５１ｃの吊下支持により変更されないが、スクリーン４の上部４Ｂの吊下位置が下降する。そして、スクリーン４の上部４Ｂについて、二重のスクリーン４のそれぞれの透過部４ｂ及び遮光部４ａがそれぞれ一致する状態になるときに切替操作グリップ３０を手放すと、ストッパー装置３２によるロック動作が働いて、その状態が維持される。図１０（ｂ）は、このときの状態を示しており、室外側のスクリーン４は固定部５３の近傍で生地弛みが生じ（図示Ｈ）、スクリーン４の上部４Ｂと下部４Ａでそれぞれ異なる採光量となり、即ち、スクリーン４の上部４Ｂを採光状態とし、スクリーン４の下部４Ａを遮光状態とすることができる。
【００８７】
また、図１０（ａ）に示す全遮光状態から、隣接する透過部４ｂ及び遮光部４ａを１ピッチとして、操作コード３を操作して巻取パイプ９により半ピッチだけ巻取ることで、前後のスクリーン４のそれぞれの透過部４ｂ及び遮光部４ａの位置を略同一状態にすることができ、このとき前後のスクリーン４の透過部４ｂの位置が一致して、二重のスクリーン４の全体で採光状態とすることができる。
【００８８】
二重のスクリーン４の全体で採光状態とした状態から、切替操作グリップ３０を所定量（例えば半ピッチ分）だけ引っ張ると、３本の切替コード３１ａ，３１ｂ，３１ｃが移動して（図示Ｉ）、支持軸７は余長からその所定量分を垂下し、室外側のスクリーン４の上部４Ｂは下方に引き下げられる。即ち、スクリーン４の下部４Ａの吊下状態は３本の位置決めテープ５１ａ，５１ｂ，５１ｃの吊下支持により変更されないが、スクリーン４の上部４Ｂの吊下位置が下降する。そして、スクリーン４の上部４Ｂについて、二重のスクリーン４のそれぞれの透過部４ｂ及び遮光部４ａが互い違いの状態になるときに切替操作グリップ３０を手放すと、ストッパー装置３２によるロック動作が働いて、その状態が維持される。図１０（ｃ）は、このときの状態を示しており、室外側のスクリーン４は固定部５３の近傍で生地弛みが生じ（図示Ｊ）、スクリーン４の上部４Ｂと下部４Ａでそれぞれ異なる採光量となり、即ち、スクリーン４の上部４Ｂを遮光状態とし、スクリーン４の下部４Ａを採光状態とすることができる。
【００８９】
尚、透過部４ｂと遮光部４ａの各高さ方向幅は、互いに異なるものとすることができる。そして、上記のように、スクリーン４の上部４Ｂを採光状態とし、スクリーン４の下部４Ａを遮光状態とする場合や、その逆とする場合以外にも、操作コード３を用いた操作による巻取パイプ９の巻取量や、切替操作グリップ３０を用いた操作による支持軸７の余長の引き出し量の組み合わせで、スクリーン４の上部４Ｂと下部４Ａで多岐に亘る採光・遮光状態でそれぞれ異なる採光量となるよう調節することができる。
【００９０】
また、３本の位置決めテープ５１ａ，５１ｂ，５１ｃは、取付フレーム２の室外側側面における取付部５４から垂下し室外側のスクリーン４の固定部５３に各一端を取着しているが、これは、ウェイトバー５を上限まで移動させるために巻取パイプ９によりスクリーン４を巻き取る際にも悪影響を与えない。即ち、巻取パイプ９は、スクリーン４の巻取りと一緒に３本の位置決めテープ５１ａ，５１ｂ，５１ｃも巻き取ることができ、そして、巻取パイプ９によりスクリーン４を巻き戻した場合も、３本の位置決めテープ５１ａ，５１ｂ，５１ｃは、室外側のスクリーン４の固定部５３の吊下状態に復帰する。
【００９１】
以上のように、第３実施形態の遮蔽装置（ロールスクリーン１）によれば、スクリーン４の上部４Ｂと下部４Ａでそれぞれ異なる採光量となるよう調節可能となる。また、それぞれ異なる採光量とするスクリーンの上部と下部の位置を容易に調整することができる。
【００９２】
また、第１実施形態の遮蔽装置（ロールスクリーン１）のときは、スクリーン４の下部４Ａの上昇によってスクリーン４の上部４Ｂと下部４Ａでそれぞれ異なる採光量となるよう調節していた。このため、ウェイトバー５の位置もこれに併せて上昇する点で、スクリーン４の下部４Ａを遮光状態とするときの遮光性が問題となる場合には、第３実施形態の遮蔽装置（ロールスクリーン１）のように構成するのが好適である。第３実施形態のロールスクリーン１によれば、スクリーン４の上部４Ｂの下降によってスクリーン４の上部４Ｂと下部４Ａでそれぞれ異なる採光量となるよう調節するため、ウェイトバー５の位置を不変とすることができ、スクリーン４の下部４Ａを遮光状態とするときの遮光性を向上させることができる。
【００９３】
〔第４実施形態〕
（遮蔽装置の構成）
次に、図１１及び図１２を参照して、本発明による第４実施形態の遮蔽装置（調光式スクリーン１００）の構成を説明する。図１１（ａ）,（ｂ）は、それぞれ本発明による第４実施形態の遮蔽装置（調光式スクリーン１００）の概略を示す正面図及び側面図である。図１２（ａ）,（ｂ）は、それぞれ本発明による第４実施形態の遮蔽装置（調光式スクリーン１００）の動作を説明する正面図及び側面図である。尚、他の実施形態と同様な構成要素には同一の参照番号を付している。
【００９４】
図１１に示す第４実施形態の遮蔽装置（調光式スクリーン１００）は、前述したロールスクリーン１とは異なり、スクリーン４を昇降させる巻取機構は設けられておらず、単に取付フレーム２から２枚のスクリーン４が二重に重ね合わされた状態で吊下支持されている。この２枚のスクリーン４は、それぞれ、光を一部透過させる透過部４ｂと、光を遮る遮光部４ａとが例えば縞状に交互に形成されている。
【００９５】
より具体的に、この二重のスクリーン４について説明する。二重のスクリーン４のうち室外側のスクリーン４の上端は、支持パイプ６０に巻付け可能に取着され、生地押さえ６４ａが取付フレーム２の室外側側面に設けられた取付部６４に係止して固定されており、当該室外側のスクリーン４の下端は、この生地の自重又はウェイトにより垂下されている。
【００９６】
また、二重のスクリーン４のうち室内側のスクリーン４の上端は、取付フレーム２内の支持パイプ６０に取着され、当該室内側のスクリーン４の下端は、この生地の自重又はウェイトにより垂下されている。支持パイプ６０は、取付フレーム２の両端に設けられた支持部材２ａ，２ｂから延びる固定軸によって支持されている。特に、支持パイプ６０は、室内側のスクリーン４における隣接する透過部４ｂ及び遮光部４ａを１ピッチとして、少なくとも略半ピッチ分から１ピッチ分を余巻可能に構成され、この余巻量の巻取り又は巻戻しが可能な回転量で回転可能に支持部材２ａ，２ｂ間に支持される。
【００９７】
このようにして、第４実施形態の遮蔽装置（調光式スクリーン１００）では、二重のスクリーン４が取付フレーム２から吊下支持されるよう構成しているが、第１実施形態と同様に、１枚のスクリーン４を前述したようなウェイトバー５を介して折り返し、その両端部を取付フレーム２から同様に吊下支持するようにしてもよい。
【００９８】
支持パイプ６０の右端部には、支持パイプ６０を回転操作可能とする切替プーリー５５が設けられ、本例では支持部材２ａ内に収容される。切替プーリー５５には、切替操作コード５６が掛装され、切替操作コード５６の各末端には切替操作グリップ３０が取着されて垂下されている。尚、このような切替操作コード５６は、切替操作グリップ３０を用いずに無端状のコードで構成してもよく、或いは無端状のボールチェーンで構成し、このボールチェーンが掛装される切替プーリー５５の表面を、そのボールチェーンのボール部に適合する形状の凹凸を有するように構成することもできる。
【００９９】
この第４実施形態の遮蔽装置（調光式スクリーン１００）においても、スクリーン４の上部と下部でそれぞれ異なる採光量となるよう調節可能とする調光切替機構が設けられている。以下、調光切替機構について説明する。
【０１００】
（調光切替機構）
第４実施形態の遮蔽装置（調光式スクリーン１００）における調光切替機構は、図１１に示すように、主に、２本の位置決めテープ５１ａ，５１ｂと、切替操作コード５６を掛装し、支持パイプ６０を所定回転量だけ回転操作可能とする切替プーリー５５から構成される。
【０１０１】
２本の位置決めテープ５１ａ，５１ｂは、それぞれ薄く幅広のテープ状の形態で構成される。位置決めテープ５１ａ，５１ｂの各上端は、巻付け等で長さを調整可能な固定部材５４ａに取着され、この固定部材５４ａを取付フレーム２の室外側側面における左端側及び右端側のそれぞれの取付部５４に係止することで取付フレーム２に取着される。また、位置決めテープ５１ａ，５１ｂの各下端は、二重のスクリーン４間で垂下させて室内側のスクリーン４の略中間高さにある固定部５３に取着している。尚、固定部５３は、室外側のスクリーン４に対して設けてもよい。この固定部５３の中間高さ位置で、スクリーン４は、上部４Ｂと下部４Ａとに区分される。
【０１０２】
また、本例では、２本の位置決めテープ５１ａ，５１ｂとして説明するが、複数本の位置決めテープであればよい。
【０１０３】
そして、支持パイプ６０は、当該スクリーン４の余巻量の巻取り又は巻戻しが可能な回転量で回転可能に支持部材２ａ，２ｂ間に支持され、この支持パイプ６０に対して相対回転不能に切替プーリー５５が設けられている。したがって、切替操作コード５６を介して支持パイプ６０を所定回転量だけ回転操作可能となっている。支持パイプ６０を所定回転量だけ回転操作可能とする構成は、例えば、切替プーリー５５の軸方向の面、及びこの面と対向する支持部材２ａの面のそれぞれに突起部を設け、それぞれの突起部が当接するか否かで切替プーリー５５の回転量を規制し、これに伴い支持パイプ６０の回転量を規制するよう構成することができる。
【０１０４】
そして、切替操作コード５６を引いて、支持パイプ６０を巻戻し方向に回転させることで、例えば余巻から半ピッチ分を巻戻すことで、室外側のスクリーン４の上部４Ｂを固定部５３の近傍で生地弛みを生じさせることができる。
【０１０５】
したがって、この切替操作コード５６を引くことで支持パイプ６０を巻戻し方向に回転させ、スクリーン４の上部４Ｂと下部４Ａとでそれぞれ異なる採光量となるよう調節可能となっている。尚、切替操作コード５６を手放した時に、スクリーン４等の自重でその調節した状態が変化しないよう、支持パイプ６０内には、当該支持パイプ６０の回転をロック可能なストッパー装置（図示せず）又は摺動抵抗が設けられている。
【０１０６】
以下、図１１及び図１２を参照して、第４実施形態の遮蔽装置（調光式スクリーン１００）における調光切替機構の動作を詳細に説明する。まず、図１１（ａ），（ｂ）は、スクリーン４全体を遮光状態とした様子を示しており、即ち、スクリーン４の上部４Ｂと下部４Ａは、いずれも遮光状態となるよう二重のスクリーン４のそれぞれの透過部４ｂ及び遮光部４ａが互い違いの状態にある。例えば二重のスクリーン４の下端が下限位置にあるときに、図１１に示すような「全遮光状態」となるよう、支持パイプ６０及び取付部６４でスクリーン４の各上端を取着する位置を調整して設定することができる。また、図１１に示す状態では、２本の位置決めテープ５１ａ，５１ｂは、取付フレーム２の室外側側面における取付部５４から垂下し室内側のスクリーン４の固定部５３に各一端を取着している。また、支持パイプ６０は、略半ピッチ分から１ピッチ分を余巻した状態で室内側のスクリーン４の端部を吊下支持しており、切替操作コード５６は、その引き操作による切替操作が行われていない状態にある。
【０１０７】
図１１に示す全遮光状態から、切替操作コード５６を所定量（例えば半ピッチ分）だけ引いて、支持パイプ６０を巻戻し方向に回転させると、支持パイプ６０は余巻からその所定量分を巻戻し、室内側のスクリーン４の上部４Ｂは下方に引き下げられる。即ち、スクリーン４の下部４Ａの吊下状態は２本の位置決めテープ５１ａ，５１ｂの吊下支持により変更されないが、室内側のスクリーン４の上部４Ｂの吊下位置が下降する。そして、スクリーン４の上部４Ｂについて、前後のスクリーン４のそれぞれの透過部４ｂ及び遮光部４ａがそれぞれ一致する状態になるときに切替操作コード５６を手放すと、図示しないストッパー装置によるロック動作が働いて、その状態が維持される。図１２（ａ），（ｂ）は、このときの状態を示しており、室内側のスクリーン４は固定部５３の近傍で生地弛みが生じ、スクリーン４の上部４Ｂと下部４Ａでそれぞれ異なる採光量となり、即ち、スクリーン４の上部４Ｂを採光状態とし、スクリーン４の下部４Ａを遮光状態とすることができる。
【０１０８】
また、図１２（ａ），（ｂ）に示す状態から、隣接する透過部４ｂ及び遮光部４ａを１ピッチとして、操作コード３を操作して支持パイプ６０により半ピッチだけ巻取ることで、前後のスクリーン４のそれぞれの透過部４ｂ及び遮光部４ａの位置を互い違いにすることができ、二重のスクリーン４の全体で全遮光状態（即ち、図１１に示す状態）とすることができる。
【０１０９】
尚、透過部４ｂと遮光部４ａの各高さ方向幅は、互いに異なるものとすることができる。そして、上記のように、スクリーン４の上部４Ｂを採光状態とし、スクリーン４の下部４Ａを遮光状態とする場合や、その逆とする場合以外にも、操作コード３を用いた操作による支持パイプ６０の巻取量で、スクリーン４の上部４Ｂと下部４Ａで多岐に亘る採光・遮光状態でそれぞれ異なる採光量となるよう調節することができる。
【０１１０】
以上のように、第４実施形態の遮蔽装置（調光式スクリーン１００）によれば、スクリーン４の上部４Ｂと下部４Ａでそれぞれ異なる採光量となるよう調節可能となる。また、それぞれ異なる採光量とする二重のスクリーン４の上部と下部の位置を容易に調整することができる。
【０１１１】
更に、第１乃至第４実施形態の遮蔽装置を組み合わせた更なる実施形態の遮蔽装置とすることができる。例えば、第４実施形態の遮蔽装置（調光式スクリーン１００）において、第１実施形態の遮蔽装置（ロールスクリーン１）のような複数の切替コードにより切替操作可能とする構成や、第４実施形態の遮蔽装置（調光式スクリーン１００）において、第３実施形態の遮蔽装置（ロールスクリーン１）のような生地予長分を操作する構成とすることもできる。或いはまた、第２実施形態の遮蔽装置（ロールスクリーン１）において、第４実施形態の遮蔽装置（調光式スクリーン１００）のような２枚のスクリーン４からなる二重のスクリーン４で構成し、それぞれ２枚のスクリーン４を余巻又は巻取可能に構成することができる。
【０１１２】
総括するに、本発明に係る遮蔽装置（上記の例では、ロールスクリーン１又は調光式スクリーン１００）は、吊下された二重のスクリーン４のうち第１スクリーンを所定量で上下動可能に該第１スクリーンの上端を取着する第１の生地取着手段（上記の例では、巻取パイプ９又は支持パイプ６０）と、二重のスクリーン４のうち第２スクリーンの上端を取着する第２の生地取着手段（上記の例では、支持軸７又は取付フレーム２の取付部６４に取着する生地押さえ６４ａ）と、これらの第１の生地取着手段及び第２の生地取着手段を支持する取付支持手段（上記の例では、取付フレーム２）と、第１スクリーン及び第２スクリーンのうちいずれか一方のスクリーン上の所定位置を固定部３３（又は固定部５３）として取付支持手段から吊下支持する吊下支持手段（上記の例では、切替コード３１ａ，３１ｂ，３１ｃ又は切替テープ５１ａ，５１ｂ，５１ｃ）と、固定部３３（又は固定部５３）より上部と下部に位置する当該二重のスクリーン４の採光量を異なる状態となるよう調節可能に操作する切替操作手段（上記の例では、切替操作グリップ３０又は切替操作コード５６）とを備えるように構成される。
【０１１３】
これにより、スクリーン４の上部４Ｂと下部４Ａでそれぞれ異なる採光量となるよう調節可能となり、それぞれ異なる採光量とするスクリーン４の上部と下部の位置を容易に調整することができる。尚、第１乃至第３実施形態のように、この二重のスクリーン４を、当該第１スクリーンの下端を所定の錘部材（例えば、ウェイトバー５）を介して折り返し、当該第２スクリーンの上端とするよう構成することができ、当該第１の生地取着手段として、二重のスクリーン４を昇降可能とするよう当該第１スクリーンを巻取可能な巻取パイプ９により構成することができる。そして、この巻取パイプ９による巻取りを操作可能とする操作手段（上記の例では、操作コード３）を設けることで、二重のスクリーン４の昇降操作と、当該二重のスクリーン４の採光量を異なる状態となるよう調節可能にする切替操作とを独立して行うことができる。
【０１１４】
また、第１実施形態のように、当該吊下支持手段を、固定部３３を吊下支持する複数の切替コード３１ａ，３１ｂ，３１ｃで構成した際には、当該切替操作手段として、当該取付支持手段の一部から垂下させて連結する切替操作グリップ３０を備えるよう構成することができる。これにより、スクリーン４の上部４Ｂと下部４Ａでそれぞれ異なる採光量となるよう調節する際の操作性を向上させることができる。
【０１１５】
一方、第２実施形態のように、当該吊下支持手段を、一端を固定部５３に取着し、他端を当該取付支持手段に取着する複数の位置決めテープ５１ａ，５１ｂ，５１ｃで構成した際には、当該第２の生地取着手段（上記の例では、支持軸７）は、スクリーン４を所定量で余巻可能に構成する。そして、当該切替操作手段として、当該余巻されているスクリーン４の巻戻しを可能とする操作機構（上述の例では、切替プーリー５５）と、該操作機構を作動させ当該採光量を異なる状態となるよう調節可能に操作する切替操作コード５６とを備えるよう構成することができる。これにより、ウェイトバー５の位置を不変とした状態で、スクリーン４の上部４Ｂと下部４Ａでそれぞれ異なる採光量となるよう調節することができる。
【０１１６】
或いはまた、第３実施形態のように、当該吊下支持手段を、一端を固定部５３に取着し、他端を当該取付支持手段に取着する複数の位置決めテープ５１ａ，５１ｂ，５１ｃで構成した際に、当該第２の生地取着手段（上記の例では、支持軸７）は、当該取付支持手段に支持される案内枠体３４を利用して当該スクリーン４を垂下方向に所定長で移動可能に吊下支持する可動機構として構成することができる。この場合、当該切替操作手段を、当該可動機構に一端を取着して吊下支持する複数の切替コード３１ａ，３１ｂ，３１ｃと、当該取付支持手段の一部から垂下させて連結する切替操作グリップ３０とを備えるよう構成することができる。これにより、ウェイトバー５の位置を不変とした状態で、スクリーン４の上部４Ｂと下部４Ａでそれぞれ異なる採光量となるよう調節することができる。
【０１１７】
また、第１乃至第３実施形態のように、このような吊下支持手段（上記の例では、切替コード３１ａ，３１ｂ，３１ｃ、又は位置決めテープ５１ａ，５１ｂ，５１ｃ）は、当該第１の生地取着手段（上記の例では、巻取パイプ９）によるスクリーン４の巻取り操作時に、該スクリーン４と共に巻取り可能に構成するのが好適である。これにより、スクリーン４の巻取り操作に悪影響を与えることなく、スクリーン４の上部４Ｂと下部４Ａでそれぞれ異なる採光量となるよう調節することができる。
【０１１８】
或いはまた、第４実施形態のように、当該二重のスクリーン４を第１スクリーン及び第２スクリーンとして個別に垂下して、第１の生地取着手段として、当該二重のスクリーン４の採光量を調節可能な当該所定回転量で第１スクリーンを巻取可能にする支持パイプ６０を構成することで、スクリーン４の上部４Ｂと下部４Ａでそれぞれ異なる採光量となるよう調節することができる。
【０１１９】
そして、各実施形態において、吊下支持手段（上記の例では、切替コード３１ａ，３１ｂ，３１ｃ、又は位置決めテープ５１ａ，５１ｂ，５１ｃ）は、当該二重のスクリーン４の間を挿通して、固定部３３,５３を吊下支持するよう構成するのが好適である。これにより、吊下支持手段（上記の例では、切替コード３１ａ，３１ｂ，３１ｃ、又は位置決めテープ５１ａ，５１ｂ，５１ｃ）を外部から視認できなくなるので、美観を保つことができる。
【０１２０】
以上、特定の実施形態の例を挙げて本発明を説明したが、本発明は前述の実施形態の例に限定されるものではなく、その技術思想を逸脱しない範囲で種々変形可能である。例えば、各実施形態において、室内側と室内側を特定して説明したが、室内側と室内側を逆向きに設置してもよい。
【０１２１】
また、支持部材２a，２ｂや操作プレート６及び支持プレート８の外形形状、コード案内部１２，１３の形状、巻取パイプ９及び支持軸７（或いは案内枠体３４）の形状等、本発明の作用・効果を生じさせる限りにおいて様々な形状とすることができる。また、切替コード３１ａ，３１ｂ，３１ｃは、紐状のものとして説明したが、テープ状のものでもよい。同様に、位置決めテープ５１ａ，５１ｂ，５１ｃは、テープ状のものとして説明したが、紐状のものでもよい。
【０１２２】
また、特定の実施形態において、操作プレート６及び支持プレート８を利用した振り子動作する形態のロールスクリーン１について説明したが、操作プレート６及び支持プレート８を利用せず、巻取パイプ９及び支持軸７（或いは案内枠体３４）を支持部材２a，２ｂ間にて直接支持して、当該振り子動作をしない形態のロールスクリーンについても、二重のスクリーン４を上下方向に相対移動可能とする形態であれば、本発明に係る調光切替機構を適用することができる。
【産業上の利用可能性】
【０１２３】
本発明に係る遮蔽装置によれば、スクリーンの上部と下部でそれぞれ異なる採光量となるよう調節可能とするロールスクリーンとすることができるので、二重のスクリーンを用いる遮蔽装置の用途に有用である。
【符号の説明】
【０１２４】
１  ロールスクリーン
２  取付フレーム
２ａ，２ｂ  支持部材
３  操作コード
４  スクリーン
４ａ  スクリーンの遮光部
４ｂ  スクリーンの透過部
４Ａ  スクリーンの下部
４Ｂ  スクリーンの上部
５  ウェイトバー
６  操作プレート
７  支持軸
８  支持プレート
９  巻取パイプ
１０  操作プーリー
１１  固定軸
１２，１３  コード案内部
１５  ローラー
３０  切替操作グリップ
３１ａ，３１ｂ，３１ｃ  切替コード
３２  ストッパー装置
３３  固定部
３４  案内枠体
５１ａ，５１ｂ，５１ｃ  位置決めテープ
５３  固定部
５４  取付部
５４ａ  固定部材
５５  切替プーリー
５６  切替操作コード
６４  取付部
６４ａ  生地押さえ
６０  支持パイプ
１００  調光式スクリーン
【図１】
0006473313.tif 000002
【図２】
0006473313.tif 000003
【図３】
0006473313.tif 000004
【図４】
0006473313.tif 000005
【図５】
0006473313.tif 000006
【図６】
0006473313.tif 000007
【図７】
0006473313.tif 000008
【図８】
0006473313.tif 000009
【図９】
0006473313.tif 000010
【図１０】
0006473313.tif 000011
【図１１】
0006473313.tif 000012
【図１２】
0006473313.tif 000013